(57)【特許請求の範囲】
【請求項１】
内装壁を構成する壁板の前面側に固定されるフックケーシングと、下端側において水平回転軸によりフックケーシングに起立倒伏自在に枢支されるフックと、フックケーシング内に設けられフックを倒伏方向に付勢する付勢手段と、フックケーシング内に設けられフックの回転を抑制するようにフックに結合される回転軸を有する回転ダンパとを具備し、
前記回転ダンパの回転軸は、前記フックの水平回転軸と同軸線上に配置され、かつ歯車を具備し、
前記フックは、その回転に応じて前記回転ダンパの回転軸を回転させるように前記歯車に噛み合う係合歯部を具備することを特徴とするハンガーフック。
【請求項２】
前記フックケーシングは、互いに前後方向に突き合わせて結合される後方のケーシング本体と、前方のケーシングカバーとを具備し、
前記ケーシング本体は、前記壁板と平行に配置される底板部と、この底板部の左右両縁から直角に前方へ起立する左右一対の側板部とを具備し、
前記ケーシングカバーは、前記ケーシング本体の側板部に突き合わされる対応側板部と、前方へ開放する開口部とを具備し、
前記フックは、下端側に、前記ケーシングカバーの開口部から前記ケーシング本体に向かって突出する枢止部を具備し、この枢止部の左右両側面に前記水平回転軸が固着され、
前記ケーシング本体の側板部と前記ケーシングカバーの対応側板部は、相互の突き合わせ状態において前記フックの水平回転軸を枢支する軸受け凹部を具備し、
前記回転ダンパは、前記回転軸の回転を抑制する制動機構を内蔵するダンパケーシングを具備し、
前記ケーシング本体の底板部は、前記ダンパケーシングを前後方向に嵌合させて起立保持する嵌合凹部を具備し、
前記係合歯部は、前記フックが倒伏状態にあるとき、前記回転ダンパの歯車の前面側に噛み合うように配置されることを特徴とする請求項１に記載のハンガー
フック。
【請求項３】
前記フックは、前記水平回転軸より下端側にばね受け部を具備し、
前記フックケーシング内には、前記フックのばね受け部に対向するばね受け部が設けられ、
前記フックのばね受け部と前記フックケーシングの対応ばね受け部との間に、フックを倒伏方向に付勢するコイルばねが介設されることを特徴とする請求項１に記載のハンガーフック。
【発明の詳細な説明】
【技術分野】
【０００１】
本発明は、車両や建物の内装壁等を構成する壁板に固定されるハンガーフックに関し、常時は壁面に対して倒伏した状態にあるフックを使用時に起立させることができるハンガーフックに係るものである。
【背景技術】
【０００２】
従来、ハンガーフックとして特許文献１に記載されたものが知られている。このハンガーフックは、フックとフックを倒伏状態で収納するケーシングとを備え、フックをケーシングから起立させることによって、フックに衣服等を掛けることができるように構成される。フックには、ケーシング側へ倒伏する方向、すなわちケーシングに収納される方向に付勢するばねが係止される。フックの回転軸には、セクタ歯車が形成され、ケーシングには、セクタ歯車にかみ合う制動歯車を有する回転ダンパが取り付けられる。回転ダンパは、ケーシング側に倒伏しようとするフックの回転を抑制し、倒伏までの時間を引き延ばすことにより、使用者に動作の時間的余裕を与え、フックに衣服等を掛けやすくする。
また、特許文献２には、上記ハンガーフックにおいて、フックがケーシングに対して大きく回転したとき、セクタ歯車がケーシングから露出する危惧を利用者に与える問題点を解決し、フックの使用時に歯車が露出することがないハンガーフックが提案されている。
【先行技術文献】
【特許文献】
【０００３】
【特許文献１】特開２００５−２４５５５４号公報
【特許文献２】特開２０１０−１７４８２号公報
【発明の概要】
【発明が解決しようとする課題】
【０００４】
本発明は、上記従来のハンガーフックとは異なる構成により、フックの使用時における歯車の露出をなくすことができるハンガーフックを提供することを目的としている。
【課題を解決するための手段】
【０００５】
以下、添付図面の符号を参照して説明するが、本発明はこれに限定されるものではない。
上記課題を解決するための、本発明のハンガーフック１は、壁板Ｐに固定されるフックケーシング２と、下端側において水平回転軸４によりフックケーシング２に起立倒伏自在に枢支されるフック３と、フックケーシング２内に設けられフック３を倒伏方向に付勢する付勢手段５と、フックケーシング２内に設けられフック３の回転を抑制するようにフック３に結合される回転軸７を有する回転ダンパ６とを具備する。回転ダンパ６の回転軸７は、フック３の水平回転軸４と同軸線上に配置され、かつ歯車８を具備する。フック３は、その回転に応じて回転ダンパ６の回転軸７を回転させるように歯車８に噛み合う係合歯部９を具備する。
【発明の効果】
【０００６】
本発明のハンガーフック１においては、回転ダンパ６の回転軸７とフック３の水平回転軸４とが同軸線上に配置され、歯部９がフック３と一体に歯車８の周りを回転するので、歯部９や歯車８がフックケーシング２から露出する危惧はない。
【図面の簡単な説明】
【０００７】
【図１】本発明に係るハンガーフックの正面図である。
【図２】図１のハンガーフックの側面図である。
【図３】図１のハンガーフックの背面図である。
【図４】図１のハンガーフックの断面図である。
【図５】図４のＶ−Ｖ断面図である。
【図６】図４のＶＩ−ＶＩ断面図である。
【図７】図４のＶＩＩ−ＶＩＩ断面図である。
【図８】図１のハンガーフックにおけるクサビ駆動部材を組み込んだケーシング本体の正面図である。
【図９】図１のハンガーフックにおけるフックとクサビ部材を組み込んだケーシングカバーの背面図である。
【図１０】図１のハンガーフックの分解斜視図である。
【発明を実施するための形態】
【０００８】
図面を参照して本発明の実施の形態を説明する。
図４ないし図６に示すように、ハンガーフック１は、壁板Ｐに固定される縦長のフックケーシング２と、下端側において水平回転軸４(図６)によりフックケーシング２に起立倒伏自在に枢支されるフック３と、フックケーシング２内に設けられフック３を倒伏方向に付勢する付勢手段であるコイルばね５と、フックケーシング２内に設けられフック３の回転を抑制するようにフック３に結合される回転軸７を有する回転ダンパ６とを具備する。回転ダンパ６の回転軸７は、フック３の水平回転軸４と同軸線上に配置され、かつ歯車８を具備する。フック３は、その回転に応じて回転ダンパ６の回転軸７を回転させるように歯車８に噛み合う係合歯部９を具備する。
【０００９】
フックケーシング２は、壁板Ｐに形成される取り付け開口Ｐ１に前後方向に嵌挿される嵌挿部２６と、この嵌挿部２６の前端部外周に形成される鍔部２７と、顎部２７に連続してその前部に設けられる包囲壁部２１を具備する。鍔部２７は、壁板Ｐへの装着時に取り付け開口Ｐ１の周縁の前面に当接する。嵌挿部２６は、左右両側面にクサビ突出開口２９(図２、図５)を具備する。
【００１０】
フックケーシング２は、互いに前後方向に突き合わせて結合される後方のケーシング本体１０と、前方のケーシングカバー１１とで構成される。
【００１１】
ケーシング本体１０は、壁板Ｐと平行に配置される底板部１２と、この底板部１２の左右両縁から直角に前方へ起立する左右一対の側板部１３とを具備する。底板部１２の下部前面側に、回転ダンパ６を保持する嵌合凹部１４（図４，６，８）と、ばね受け突起１５が形成される。側板部１３の下部の前縁には、フック３の水平回転軸４を受ける円弧状の軸受け凹部１６（図２，６，８）が形成される。
【００１２】
ケーシング本体１０の上部には、クサビ駆動部材３２を前後方向に移動自在に収容する受け入れ凹部２８（図４，５，１０）が形成される。受け入れ凹部２８は、後方が開口４１によって後面側へ開放し、上下部前方は、開口４２によって前方へ開放し、中央部前方は、ねじ受け座部３９によって閉じられている。なお、開口４１は、クサビ駆動部材３２を受け入れ凹部２８に嵌合させた後、蓋４３によって閉じられる。
【００１３】
ケーシングカバー１１は、ケーシング本体１０の側板部１３に突き合わされる対応側板部１７（図４，５，１０）と、底板部１２に対向する前面板部１８と、前面板部１８の下部において前方へ開放する開口部１９（図４，１０）とを具備する。側板部１７の前方は、壁板Ｐの前面に当接する鍔部２７介して、包囲壁部２１に連続する。包囲壁部２１は、前方へ膨出してフック３の外周を包囲する。包囲壁部２１は、フック３の上端部に対応する位置において切欠しており、この切欠部２０によって、倒伏状態にあるフック３の上端部が露出するようになっている。側板部１７の下部後縁には、ケーシング本体１０の軸受け凹部１６に対向してフック３の水平回転軸４を受ける円弧状の軸受け凹部２２（図２，９）が形成される。
【００１４】
ケーシングカバー１１の上部、前面板部１８の後面側には、ケーシング本体１０の開口４２に対向する位置に、クサビ受け凹部４４（図４，９）が形成される。クサビ受け凹部４４は、クサビ突出開口２９（図２，５）によって嵌挿部２６の左右側面に開放する。
【００１５】
フック３は、フックケーシング２の包囲壁部２１の内側に沿うように上下方向に延び、倒伏状態において包囲壁部２１の内側に収納される。図４に示すように、フック３は、下端側において、ケーシングカバー１１の開口部１９からケーシング本体１０に向かって突出する枢止部２３を具備する。枢止部２３は、ケーシングカバー１１の側板部１７と、ケーシング本体１０の側板部１３の内側面に沿う左右の側板部２４（図９）を有する。左右の側板部２４の外側面に、水平回転軸４が突設され、一方の側板部２４の内側面に係合歯部９が形成される。フック３の下端部には、後方へ突出してフックケーシング２のばね受け突起１５に対向するばね受け突起２５が形成される。両ばね受け突起１５，２５間に、フック３を倒伏方向に付勢するコイルばね５が介設される。
【００１６】
図６に示すように、回転ダンパ６は、回転軸７の回転を抑制する制動機構を内蔵するダンパケーシング４７を具備し、回転軸７を外方へ突出させる。ダンパケーシング４７は、ケーシング本体１０の底板部１２に形成された嵌合凹部１４に前後方向に嵌合され、フックケーシング２内に起立保持される。回転軸７に固着された歯車８の前面側に、倒伏状態におけるフック３の係合歯部９が噛み合うように配置される。
【００１７】
ケーシングカバー１１のクサビ受け凹部４４には、左右の一対のクサビ部材３０（図５，９，１０）が左右方向に移動自在に組み込まれる。一対のクサビ部材３０は、引き込みばね３１によって、クサビ受け凹部４４内に引き込み保持される。
【００１８】
図５に示すように、クサビ部材３０は、それぞれフックケーシング２の鍔部２７との間で壁板Ｐを挟持するクサビ部３４と、クサビ駆動部材３２に係合する受動部４５とを具備し、クサビ部３４をクサビ突出開口２９から外側へ出没させるように左右に移動自在である。クサビ部３４は、前方に向かって内側へ傾斜した斜面４０を有する。クサビ部３４を突出させた位置において斜面４０と鍔部２７との間で壁板Ｐを挟持する。斜面４０とクサビ部３４の突出量とにより、所定範囲の壁板Ｐの厚さ寸法に対応できる。
【００１９】
図４，１０に示すように、クサビ部材３０を動かすクサビ駆動部材３２は、クサビ部材３０と対向するように、ケーシング本体の受け入れ凹部２８（図５）に前後方向に移動自在に組み込まれる。
【００２０】
図４，１０に示すように、クサビ駆動部材３２は、左右一対のクサビ部材３０の間に介入する上下一対の駆動部３５と、駆動部３５間を接続する連結部３６とを具備する。駆動部３５は、左右のクサビ部材３０に接する傾斜した駆動面３７を具備する。クサビ駆動部材３２が前方に移動すると、駆動部３５が左右のクサビ部材３０を外方へ押しやることで、各クサビ部３４を開口２９から外側へ突出させる。連結部３６には、前後方向に貫通するねじ孔３８が形成される。このねじ孔３８に、フックケーシング２のねじ受け座部３９を前後方向に貫通する締め付けねじ３３が螺合される。ねじ受け座部３９は、フック３を起立させた状態で前方に露出する位置に設けられる。したがって、締め付けねじ３３は、フックケーシング２の前面側から開口４６を介して回転操作可能である。締め付けねじ３３を締め付けると、クサビ駆動部材３２が前進し、クサビ部材３０を左右方向外側へ押し出す。
【００２１】
ハンガーフック１を壁板Ｐに取り付ける場合には、予め壁板Ｐに形成されている取り付け孔Ｐ１にフックケーシング２の嵌挿部２６を挿入し、フック３を起立させた状態で、前方から締め付けねじ３３を締め付ける。これにより、クサビ部材３０を左右方向外側へ押し出し、その斜面４０を壁板Ｐの後面に圧接させ、フックケーシング２の鍔部２７との間で壁板Ｐを締め付ける。壁板Ｐの前面側からの作業のみでハンガーフック１を壁板Ｐに取り付けることができる。
【００２２】
例えば、コートをハンガーフック２に掛けるときには、一方の手でコートの後ろ襟付近を握り持ちつつ、その手の指をフック３の上端に掛けてフック３をフックケーシング２から引き起こす。フック３は、回転ダンパ６の制動により、ゆっくり倒伏するので、その間に、コートを握った片手でコートをフック３に掛けることができる。あるいは、直接コート等をフック３の先端に掛けながら、これを引き起こすことができる。
【符号の説明】
【００２３】
１      ハンガーフック
２      フックケーシング
３      フック
４      水平回転軸
５      コイルばね（付勢手段）
６      回転ダンパ
７      回転軸
８      歯車
９      係合歯部
１０    ケーシング本体
１１    ケーシングカバー
１２    底板部
１３    側板部
１４    嵌合凹部
１５    ばね受け突起
１６    軸受け凹部
１７    対応側板部
１８    前面板部
１９    開口部
２０    切欠部
２１    包囲壁部
２２    軸受け凹部
２３    枢止部
２４    側板部
２５    ばね受け突起
２６    嵌挿部
２７    鍔部
２８    受け入れ凹部
２９    クサビ突出開口
３０    クサビ部材
３１    引き込みばね
３２    クサビ駆動部材
３３    締め付けねじ
３４    クサビ部
３５    駆動部
３６    連結部
３７    駆動面
３８    ねじ孔
３９    ねじ受け座部
４０    斜面
４１    後方開口
４２    前方開口
４３    蓋
４４    クサビ受け凹部
４５    受動部
４６    開口
４７    ダンパケーシング
Ｐ      壁板
Ｐ１    取り付け孔
【図１】
0005943983.tif 000002
【図２】
0005943983.tif 000003
【図３】
0005943983.tif 000004
【図４】
0005943983.tif 000005
【図５】
0005943983.tif 000006
【図６】
0005943983.tif 000007
【図７】
0005943983.tif 000008
【図８】
0005943983.tif 000009
【図９】
0005943983.tif 000010
【図１０】
0005943983.tif 000011